(57)【要約】【課題】蓋の開閉操作性を向上させた使用性の高い生ごみ処理機を提供することを目的とする。【解決手段】生ごみを投入する処理槽１と、前記処理槽１を覆う蓋部３１と、前記処理槽１を有する本体３３とを備え、前記蓋部３１と前記本体３３とを閉止する閉止手段１５と、前記閉止手段１５による前記蓋部３１と前記本体３３との閉止を解除する解除手段１６と、前記閉止手段１５による前記蓋部３１と前記本体３３との閉止が解除されると、前記蓋部３１を前記本体３３より自動的に開成する開成手段１１とを有するもので、これによって解除手段１６を操作することにより、蓋３１が自動的に開くようになり、蓋３１の開閉操作性の向上が図れるものである。【選択図】図１
2005152683.tif 000002
【特許請求の範囲】
【請求項１】
生ごみを投入する処理槽と、前記処理槽を覆う蓋部と、前記処理槽を有する本体とを備え、前記蓋部と前記本体とを閉止する閉止手段と、前記閉止手段による前記蓋部と前記本体との閉止を解除する解除手段と、前記閉止手段による前記蓋部と前記本体との閉止が解除されると、前記蓋部を前記本体より自動的に開成させる開成手段とを有する生ごみ処理機。
【請求項２】
開成手段は、常時、蓋部を開方向に付勢する構成とした請求項１記載の生ごみ処理機。
【請求項３】
解除手段のスライド移動に連動して、閉止手段が回動する構成とした請求項１または２記載の生ごみ処理機。
【請求項４】
閉止手段の回動を防止するロック手段を設けた請求項３記載の生ごみ処理機。
【請求項５】
蓋部は複数の部材より構成され、そのうち少なくとも１つは着脱可能であるとともに、前記着脱可能な部材に解除手段を設けた請求項１〜４のいずれか１項に記載の生ごみ処理機。
【発明の詳細な説明】
【技術分野】
【０００１】
本発明は、食品などの生ごみを処理する生ごみ処理機に関するものである。
【背景技術】
【０００２】
従来の生ごみ処理機においては、蓋部固定に尾錠を設け、蓋を開けるときは、尾錠を直接動作させて本体との引掛りを解除し、蓋を開くというものが一般的であった。
【特許文献１】特開２００２−１１９９３９号公報
【発明の開示】
【発明が解決しようとする課題】
【０００３】
しかしながら従来の構成においては、台所から生ごみを持って生ごみ処理機に生ごみを投入しようとしたとき、手がふさがっている場合、蓋を開け難いという課題を有していた。
【０００４】
本発明は、前記従来の課題を解決するもので、蓋の開閉操作性を向上させた使用性の高い生ごみ処理機を提供することを目的とする。
【課題を解決するための手段】
【０００５】
前記課題を解決するために本発明は、生ごみを投入する処理槽と、前記処理槽を覆う蓋部と、前記処理槽を有する本体とを備え、前記蓋部と前記本体とを閉止する閉止手段と、前記閉止手段による前記蓋部と前記本体との閉止を解除する解除手段と、前記閉止手段による前記蓋部と前記本体との閉止が解除されると、前記蓋部を前記本体より自動的に開成させる開成手段とを有するもので、これによって解除手段を操作することにより、蓋が自動的に開くようになり、蓋の開閉操作性の向上が図れるものである。
【発明の効果】
【０００６】
本発明によれば、蓋の開閉操作性を向上させた使用性の高い生ごみ処理機を提供することができる。
【発明を実施するための最良の形態】
【０００７】
第１の発明は、生ごみを投入する処理槽と、前記処理槽を覆う蓋部と、前記処理槽を有する本体とを備え、前記蓋部と前記本体とを閉止する閉止手段と、前記閉止手段による前記蓋部と前記本体との閉止を解除する解除手段と、前記閉止手段による前記蓋部と前記本体との閉止が解除されると、前記蓋部を前記本体より自動的に開成させる開成手段とを有するもので、これによって解除手段を操作することにより、蓋が自動的に開くようになり、蓋の開閉操作性の向上が図れるものである。
【０００８】
第２の発明は、上記第１の発明において、開成手段は、常時、蓋部を開方向に付勢する構成としたもので、解除手段を操作することにより、蓋が自動的に開く構成を実現でき、蓋の開閉操作性の向上が図れるものである。
【０００９】
第３の発明は、上記第１または第２の発明において、解除手段のスライド移動に連動して、閉止手段は回動する構成としたもので、コンパクトかつ低価格で、蓋が自動的に開く構成を実現でき、蓋の開閉操作性の向上が図れるものである。
【００１０】
第４の発明は、上記第３の発明において、閉止手段の回動を防止するロック手段を設けたもので、処理中に蓋体が開くのを防止でき、安全性を向上できる。
【００１１】
第５の発明は、蓋部は複数の部材より構成され、そのうち少なくとも１つは着脱可能であるとともに、前記着脱可能な部材に解除手段を設けたもので、解除手段が壊れた場合、蓋全体を交換する必要がなく一部のみの交換で済むためメンテ時のコスト低減化が図れるとともに、デザイン性も向上することができる。
【００１２】
以下、本発明の実施の形態について、図面を参照しながら説明する。尚、この実施の形態によって本発明が限定されるものではない。
【００１３】
（実施の形態１）
以下、本発明の実施の形態１について図１〜図４を参照しながら説明する。
【００１４】
図１は本発明の実施の形態における全体図であり、生ごみを投入する処理槽１と、前記処理槽１内の生ごみを加熱・乾燥するための加熱手段である乾燥ヒータ２と、前記乾燥ヒータ２の熱を前記処理槽１内の生ごみに送るための乾燥ファンモータ３と、前記処理槽１内の生ごみを撹拌するための撹拌手段である撹拌羽根４と、前記処理槽１に連通し前記処理槽１内の生ごみから発生する蒸気の脱臭を行う触媒５と、前記触媒５の脱臭能力を高めるための加熱を行う触媒加熱ヒータ６と、前記触媒５の下流側に配置され前記処理槽１内の蒸気を吸引し前記触媒５を経由して機器外に排気するための吸引ファンモータ７を有している。更に、前記乾燥ヒータ２の側近には、前記処理槽１内の温度を検知するための庫内温度センサ９を配設し、処理槽１と触媒５を連通する経路に終了検知温度センサ１０を配設してある。３１は蓋ユニットであり、蓋回動軸を有する蓋Ａ３０と、前記蓋Ａ３０から外方側に着脱可能な蓋Ｂ１４と、前記蓋Ｂ１４に内方から設けられた蓋Ｃ１３から構成されている。１１は蓋ユニットを開成させるためのばね（弾性体）である開成手段で、常に蓋ユニット３１の開方向に与圧が加わった状態で、取付金具１２にて取り付けられている。２７は生ごみ処理機の運転を制御する制御装置である。また、３３は処理槽１が配設されている本体３３である。
【００１５】
次に、蓋ユニット３１と本体３３とを閉止する閉止手段１５と、閉止手段１５による蓋ユニット３１と本体３３との閉止を解除する解除手段１６について、図２を用いて説明する。蓋Ｂ１４には、使用者が機器の操作を行うための操作部８と、閉止手段１５、解除手段１６、及び閉止手段１５の回動を防止するロック手段１７が組み込まれている。閉止手段１５は、蓋ユニット３１の底面に設けられた蓋ベース２３に取り付けられた尾錠金具２４の軸２５を中心に回動できるような構成となっており、閉止手段１５には爪部２６を設けている。解除手段１６は、上下方向にスライド移動する構成となっており、かつ、下部には、前記閉止手段１５の上部に設けられた軸部１５ａに接し、上方向に向かって広がる傾斜部１６ａを有する構成となっている。そのため、前記解除手段１６を下方向に移動させると、前記傾斜部１６ａに前記軸部１５ａは押され、前記閉止手段１５は前記軸２５を中心に回動する。その結果、前記閉止手段１５に設けられた爪部２６は、本体３３から外れる構成となっているのである。また、操作部８の裏側には運転操作制御装置２８を配設してある。
【００１６】
図３は操作部４の一例であり、これを参照しながら、操作部４の詳細について説明する。操作部４は、使用者が機器の運転開始を行うための運転スイッチ１８と、運転中であることを知らせるための運転表示１９、運転を途中で停止させるための切スイッチ２０、予約時刻の設定を行うための時刻予約スイッチ２１、予約中であることを知らせる予約表示２２を有している。
【００１７】
また、図４に示すように蓋Ｂ１４の前方部には略水平部２９を設けてあり、ロック手段１７は解除手段１６と閉止手段１５の間に配設してある。
【００１８】
以上のように構成された生ごみ処理機において、その動作を説明する。処理槽１に生ごみを投入し、蓋１３を締め、操作部４の運転スイッチ１８を入れ、運転操作制御装置２８及び制御装置２７により運転が開始されると、触媒加熱ヒータ６に通電され触媒５が加熱され、さらに乾燥ヒータ２と乾燥ファンモータ３にも通電され生ごみが加熱され始め、発生した蒸気は処理槽１の上部の排気経路から吸引ファンモータ７により吸引され触媒５で臭いを除去されて機体外へ排出される。処理槽１内の温度は庫内温度センサ９により一定の温度に制御装置２７により制御される。また、撹拌羽根４もモータ（番号付与せず）により間欠的に回転し、生ごみの粉砕をおこなう。
【００１９】
そして生ごみの乾燥が終了してくると処理槽１内の生ごみからの蒸気発生量が減少し処理槽１から触媒５の間の経路に配設してある終了検知温度センサ１０の温度が低下し、予め設定しておいた温度低下条件を満足すると制御装置２７により乾燥ヒータ２がＯＦＦし、庫内温度センサ９の温度が予め設定しておいた温度まで低下するまで冷却して運転終了する。
【００２０】
運転が終了し生ごみの処理物を取り出す場合、あるいは生ごみを投入する場合は解除手段１６を押すと、閉止手段１５は前記軸２５を中心に回動し、本体３３との固定が外れ、開成手段１１により、蓋ユニット３１は自動的に開く。これにより、蓋の開閉操作性を向上させた使用性の高い生ごみ処理機を提供することができる。
【００２１】
さらに、解除手段１６は、蓋ユニット３１を構成し、着脱可能な蓋Ｂ１４に設けてあるので、解除手段１６が壊れた場合、蓋全体を交換する必要がなく、蓋Ｂ１４なる一部のみの交換で済むため、メンテ時のコスト低減化が図れるとともに、デザイン性も向上することができる。
【００２２】
さらに、蓋Ｂ１４に設けてあるロック手段１７で閉止手段１５の回動をロックする場合は、前記ロック手段１７をスライド移動させて、前記ロック手段１７を前記閉止手段１５に当接させて、前記閉止手段１５の回動を防止することにより、簡単な構成で信頼性の高い前記閉止手段１５のロック手段を提供することができる。
【００２３】
さらに、ロック手段１７は解除手段１６と閉止手段１５の間に配設したもので、全体構成が簡素化でき、解除手段１６とロック手段１７の操作部の配置外観性も向上し、使い勝手性も向上することができる。
【００２４】
さらに、蓋Ｂ１４の前方部に略水平部２９を設けているので、蓋を閉める時手を添えやすくなり蓋を閉める操作が容易となり、使い勝手性が向上する。
【００２５】
さらに、運転操作部４は、蓋Ｂ１４に設けたことで、運転操作部４が壊れた場合、蓋全体を交換する必要がなく、蓋Ｂ１４なる一部のみの交換で済むため、メンテ時のコスト低減化が図れるとともに、デザイン性も向上することができる。
【００２６】
さらに、運転操作部４には、運転開始時間を予約設定できる予約設定部２１を有するもので、それを使用することにより夜間割引料金電力の使用等、電気代の低減化を図ることができる。
【００２７】
さらに、運転操作部４の予約設定部２１の表示部２２は、予約受付け中は点滅し、所定時間後予約が確定すると、表示部２２は点滅から点灯に変わるもので、表示を変えることで使用者に予約確定を確実に報知することができ使用性を向上することができる。
【産業上の利用可能性】
【００２８】
以上のように、本発明にかかる生ごみ処理機は、蓋の開閉操作性を向上させた使用性の高い生ごみ処理機を提供することができるため、家庭用、業務用、加熱乾燥方式、バイオ方式を問わず、広く生ごみ処理機全般に有用である。
【図面の簡単な説明】
【００２９】
【図１】本発明の実施の形態１における生ごみ処理機の断面図
【図２】同解除手段の詳細図
【図３】同操作部の詳細図
【図４】同外観斜視図
【符号の説明】
【００３０】
１  処理槽
２  乾燥ヒータ
４  操作部
１１  開成手段
１５  閉止手段
１６  解除手段
１７  ロック手段
【図１】
2005152683.tif 000003
【図２】
2005152683.tif 000004
【図３】
2005152683.tif 000005
【図４】
2005152683.tif 000006